(57)【特許請求の範囲】
【請求項１】
厨房又は食品加工場から屋外へ排気するダクトに消煙部及びファンを取付け、消煙部は油脂吸着部および脱臭部から成り、脱臭部は、中空筒状のブロック本体を貫通する臭気ガスの内部流通空間に中子を配置して、臭気ガスを内部流通空間の内壁面と中子との間を通過させる様にした複数のブロック脱臭剤を、各ブロック本体の外周部を密接状態で、臭気ガスの流通方向に対し直角な縦横両方向に並列状に配置した脱臭ユニットを有し、ブロック本体および中子はモンモリロナイト、酸性白土、活性白土又はゼオライトに石膏と水を添加して水和硬化させて成形したことを特徴とする厨房又は食品加工場の排気システム。
【請求項２】
ブロック本体および中子は、添加剤として活性アルミナ、炭酸カルシウム、酸化マグネシウムの１種以上を添加混入して水和硬化して成形したことを特徴とする請求項１記載の厨房又は食品加工場の排気システム。
【請求項３】
ダクトに、該ダクトより大径な脱臭ボックスを設け、該脱臭ボックスに脱臭ユニットを配置したことを特徴とする請求項１又は２記載の厨房又は食品加工場の排気システム。
【請求項４】
中子における、臭気ガスの流通方向の上流側端部の先端円錐部をブロック本体における臭気ガスの流通方向の上流側端面である先端側より突出させたことを特徴とする請求項１、２又は３記載の厨房又は食品加工場の排気システム。
【請求項５】
内部流通空間を形成するブロック本体の内壁面は、半径が徐々に相違する多数の円周面から成り、半径大の円周面をブロック本体における流入口側の先端側に設けると共に、半径小の円周面をブロック本体における流出口側の後端側に設けたことを特徴とする請求項１、２、３又は４記載の厨房又は食品加工場の排気システム。
【請求項６】
中子の先端円錐部に上流側である先端側へ小径と成る段差面を設けたことを特徴とする請求項４又は５記載の厨房又は食品加工場の排気システム。
【請求項７】
中子の後方円筒部をブロック本体内に配置し、後方円筒部に括れ部を設けたことを特徴とする請求項１、２、３、４、５又は６記載の厨房又は食品加工場の排気システム。
【請求項８】
脱臭ユニットを有する脱臭部の下流に、脱臭ユニットを構成するブロック脱臭剤と同素材で、団塊状又は塊粒状に形成した塊状脱臭剤を、ダクトに設けた脱臭ボックス内に多数充填した脱臭部を設置したことを特徴とする請求項１、２、３、４、５、６又は７記載の厨房又は食品加工場の排気システム。
【発明の詳細な説明】
【０００１】
【発明の属する技術分野】
本発明は、店舗等で発生する臭気ガスを浄化して屋外排気する厨房又は食品加工場の排気システムに関する。
【０００２】
【従来の技術】
従来、飲食店、惣菜屋、弁当屋等の排気設備には、食品加工（煮炊、焙焼、油揚等）の際に発生する多種多様な臭気成分を除去する脱臭装置が取付けられていない場合が多く、近年環境問題が高まり、上記飲食店及び食品製造（加工）店舗の近隣の住民からの悪臭、異臭に対する苦情は低濃度の臭いも含まれる様になり、低価格且つ長期間使用可能でコンパクトな排気脱臭システムが求められている。
わずかに取付けられている例では、排気ダクトの消煙部に、吸引用のファン、電気集塵ユニット、通気濾過式のフィルター、活性炭等を装備していた。
【０００３】
【発明が解決しようとする課題】
しかしながら、店舗等の排気システムに取付けられる消煙部は、粒子状物質を捕集する油脂吸着部と臭気（極微細粒子）を捕集する脱臭部から成り、脱臭物質としては活性炭が利用されていた。
活性炭は、表面に多数の微細孔を有すると共に大きな表面積を有しているため、臭気の吸着速度は速いが、活性炭は粒状であるため上記作用は表面部でのみ発生していた。
その結果、表面での効率的、比較的即効的な吸着後は、表面での吸着能力が劣化するため、飽和吸着量に到達し易く、或いは量的にも、一般的に考えても脱臭能が小さく、寿命が短かく、更に、活性炭は安価ではなかった。
【０００４】
【課題を解決するための手段】
本発明は、上記従来技術に基づく、活性炭は寿命が短い課題に鑑み、厨房又は食品加工場から屋外へ排気するダクトに消煙部及びファンを取付け、消煙部は油脂吸着部および脱臭部から成り、脱臭部は、中空筒状のブロック本体の、臭気ガスが通過する内部流通空間に中子を配置して、臭気ガスを内部流通空間の内壁面と中子との間を通過させる様にした複数のブロック脱臭剤を内部流通空間が上下流方向に向く様に、各ブロック本体の外周部を密接状態で、臭気ガスの流通方向に対し直角な縦横両方向に並列状に配置した脱臭ユニットを有し、ブロック本体および中子はモンモリロナイト、酸性白土、活性白土又はゼオライトに石膏と水を添加して水和硬化させて成形することによって、脱臭剤表面の微細孔で臭気を吸着すると共に、内部の連続空隙内に吸着物質が移動して、長期的に脱臭する。
【０００５】
【発明の実施の形態】
以下、本発明の一実施例を図面に基づいて説明する。
図１は排気システムの系統図を示し、店舗等１にダクト２を設けると共に、ダクト２にファン３を接続し、ファン３の下流側のダクト２に油脂吸着部４、脱臭部５、5aを夫々接続している（脱臭部５、5a等は屋外部のダクト２に接続しているが、ダクト２の如何なる位置でも良い）。
脱臭部５、5aの内部に特定形状素材の脱臭剤Ｍ（ブロック脱臭剤６、塊状脱臭剤6a）を内装している。
本発明に係る排気システムを取付ける対象の店舗等１は、飲食店の厨房、惣菜屋、弁当屋等と称される食品加工場、その他の食材を加工食料品に製造加工する店舗、加工場が対象であり、ダクト２の基端位置は、図示の様に厨房ではレンジテーブル等の上方で集煙フードを配置したり、図示しないが食品加工場では複数の加工作業テーブルの上方に集煙フードを夫々取付けてダクトに接続したり、食品加工場の建屋の天井にダクト基端を接続する。
上記の様にダクト２の接続方式は様々であり、即ち、食材の煮炊、焙焼、油揚調理時に発生する煙、臭気、燃焼ガス（以下、臭気ガスと称する）を吸引するものであれば良い。
【０００６】
脱臭剤Ｍは、活性白土等に石膏と多量の水を添加し、好ましくは、吸着力が高い活性アルミナや、炭酸カルシウム、酸化マグネシウムの様な活性化促進剤を添加し、水和硬化させると共に、ブロック状、団塊状、塊粒状に形成したものである。
物質は、特定素材（酸性白土又は活性白土に石膏と水を添加して水和硬化させた素材）の多孔質の脱臭剤Ｍであり、図４、６に示す様なブロック状、団塊状または塊粒状の脱臭剤Ｍを多数充填している。
脱臭剤Ｍの１主成分であって、吸着作用を有するモンモリロナイト、酸性白土（モンモリロナイトが主成分）、活性白土（酸性白土を鉱酸で処理した白土）又はゼオライトは安価であるが、微粒子状、粉体状のため、本発明の厨房又は食品加工場の排気システムで使用する脱臭剤Ｍは、活性白土等に石膏と多量の水を加えて、水和硬化させ、所定形状（ブロック状、団塊状、塊粒状）に成形し、脱臭部５、5aの脱臭ボックス14に収納充填している。
上記の様に活性白土等に石膏と多量の水を添加し、好ましくは、吸着力が高い活性アルミナや、炭酸カルシウム、酸化マグネシウムの様な活性化促進剤を添加し、水和硬化させた多孔質の脱臭剤Ｍは、活性白土粉粒子の間に多数の空隙、連続空隙、気泡、不定形の大小空間の連通空間（以下、連続空隙と称する）が形成されている。
【０００７】
ブロック脱臭剤６は図２〜５に示す様に、単位構成を外形が正４角柱形で面取りされた中空筒状のブロック本体７と、該ブロック本体７の中心部に配置する先端円錐状で後方円筒状の中子８で形成し、ブロック本体７の長さＬ及び厚さＨを夫々同寸に形成し、ブロック本体７と中子８の軸心を同一軸芯に配置している。
図４に示す様に、ブロック本体７の中央部に内部流通空間7aを貫設して中空筒状に形成し、内部流通空間7aを形成するブロック本体７の内壁面18は、半径が徐々に相違する多数の円周面19、19a …から成り、半径大の円周面19を先端側7b（入口側）に、半径小の円周面19z を後端側7c（出口側）に形成し、径差順で配置している。
よって、先端側7bの流入口Ａの開口面積が大で後端側7cの流出口Ｂの開口面積が小で、全体的には下流縮径のテーパー状で連続段差状となり、直径相違の円周面19、19a …同志をつなぐ段差面９、9a…が、臭気ガスを１次浄化した後の１次浄化ガスの衝突面となり、先端側7bの段差面９、9a…は外側に、後端側7cの段差面9z、9y…は内側に配置され、半径位置で相違している。
【０００８】
中子８における臭気ガス（１次浄化ガス）の流通方向の上流側端部の先端円錐部8aは、上流側である先端へ向かって徐々に小径同心円状の段差面10、10a …を形成し、該段差面10、10a …の間隔L2は等間隔に夫々設定すると共に、中子８の先端に半球状の突起11を形成している。
そして、中子８の先端円錐部8aをブロック本体７における臭気ガス（１次浄化ガス）の流通方向の上流側端面である先端側7bから突出させると共に、中子８の後方円筒部8bをブロック本体７の内部における中央部に配置している。
一方、中子８の後方円筒部8bは、括れ部8cを設けると共に後端に切り立った端面を形成している。
尚、ブロック本体７内に同一軸心で中子８を配置する手段は適宜可能であり、図示のものでは、弾性を有する金属棒12、12a の中央部をく字状に折曲すると共に、中子８の成形時に中央部を埋設し、金属棒12、12a の両先端部を折曲してブロック本体７の円周面19a 等の内壁面18に弾圧的に接触させて、ブロック本体７内に中子８を保持配置している。
【０００９】
図２に示す様に、脱臭部５は、ダクト２より大径とした脱臭ボックス14内に脱臭ユニット15を内装しており、脱臭ユニット15を構成する複数のブロック脱臭剤６は脱臭ボックス14の内部に相互に各ブロック本体７の外周部を密接状態で縦横積層状、即ち上記上下流方向に対し直角な縦横両方向に並列状に配置し、図３に示す様に、各ブロック本体７の面取部で形成された四角状の隙間に角棒状のジョイント部材16、16a …を介在させると共に、脱臭ボックス14の内面と各ブロック本体７の隙間に三角柱状の隙間部材17、17a …を介在させている。
尚、ジョイント部材16、16a …とブロック本体７の面取部には係合凹凸を設けて係合させ、又ジョイント部材16、16a …の全長は長さＬの２倍強で、後述する様に、滞留空間21を挟んで対向する前後１対のブロック脱臭剤６を連結している。
【００１０】
前記の様に、各ブロック本体７が積層構成された脱臭ユニット15は、必要に応じて複数のものが設置され、図示のものでは、前後２群の脱臭ユニット15、15で１段を構成し、前後一対の脱臭ユニット15、15の間隔は中子８の先端円錐部8aの突出長より長く設定し、更に２群１段の脱臭ユニット15、15を複数段設置している。
【００１１】
図２に示す様に、ブロック脱臭剤６が充填された脱臭部５の下流に設置された脱臭部5aにはブロック脱臭剤６と同素材で、団塊状又は塊粒状に形成した塊状脱臭剤6aを、脱臭部５と同じ脱臭ボックス14内における脱臭ユニット15の下流側に多数充填したり、高性能吸着作用を有するフィルターを設けている。
又、図１に示す様に、ファン３の下流側に設置した油脂吸着部４は通気濾過式のフィルターや電気集塵機と成しており、後段の脱臭部5aと共に適宜選択可能であり、更に、脱臭部５、5aをファン３の上流側にも別途設置して油脂吸着部４と成しても良い。
【００１２】
次に本発明に係る厨房又は食品加工場の排気システムの作用について説明する。
店舗等１で発生する臭気ガスは、ファン３の吸引作用でダクト２に吸引され、店舗等１から吸引された臭気ガスは、屋外のダクト２に装着した消煙部の油脂吸着部４におけるプレフィルターや電気集塵機で１次浄化され、１次浄化ガスは脱臭部５のブロック脱臭剤６及び脱臭部5aの塊状脱臭剤6aで脱臭されて浄化済みガスとして大気へ放出される。
【００１３】
以下、臭気成分（空気より重い臭気粒子及び極微細粒子である臭気）を含んだ１次浄化ガスが脱臭部５に到達した時の脱臭作用について説明する。
前段脱臭部５における脱臭ボックス14の前段の滞留空間（チャンバー）20に流入した１次浄化ガスは、第１段第１群の脱臭ユニット15に到達し、脱臭ユニット15における個々のブロック脱臭剤６の流入口Ａ（ブロック本体７の開口面積から中子８の断面積を差し引いた面積に相当）に流入し、その際、ブロック本体７の先端側7bより上流側へ突出した円錐状の中子８に誘導されて流入口Ａに流入する。
具体的には、１次浄化ガスの一部が中子８の先端円錐部8a表面に当たって該先端円錐部8a表面に沿って湾曲流動し、傾斜流となって、流入口Ａにまっすぐ向かって流入する１次浄化ガスと合流して内部流通空間7a内に流入し、総合的にブロック本体７の内部流通空間7aの先端側7bの内壁面18（円周面19、19a 、19b 付近）に衝突する如く流入し、後述する段差面９、9a…との相乗効果で一部の臭気粒子が付着する。
流入口Ａから流入した１次浄化ガスは、内部流通空間7aの上流部において後方円筒部8bの胴体外周が一部絞られた中子８の存在で乱流を発生し、内壁面18や中子８の表面に臭気粒子が付着し、後方側への流入時に徐々に中央側に位置する段差面…9m、9n…9y、9zに衝突し、臭気粒子が段差面９、9a…9y、9zに付着すると共に、１次浄化ガスは内方側へ流路変更する。
【００１４】
第１段第１群のブロック脱臭剤６で脱臭された１次浄化ガスは、ブロック脱臭剤６の後端から次の滞留空間21に流入し、続いて第１段第２群の脱臭ユニット15のブロック脱臭剤６に到達する。
第１段第２群においても第１段第１群と同様の作用で脱臭され、この脱臭作用が第２段以降でも繰り返され、臭気成分がブロック脱臭剤６に付着吸着された後の２次浄化ガスが次の中間滞留空間21を通過して脱臭部5aに流入し、少量の残存する臭気成分が塊状脱臭剤6aに付着吸着された後の浄化済みガスがダクト２を通って大気へ放出される。
【００１５】
以下、各所で空気が変向（流路変更）し付着される作用を個別に説明する。
ダクト２より大径で断面積が大きな脱臭ボックス14に流入した１次浄化ガスは、脱臭ボックス14の前段の滞留空間20でダクト２内の流速よりゆるやかな速度になり、脱臭部５に充填されたブロック脱臭剤６との接触時間が長く成り、臭気成分が付着吸着され易くなる。
又、脱臭部５内で積層状のブロック脱臭剤６は大型化して表面積が大きくなって、１次浄化ガスの臭気成分とブロック脱臭剤６との接触面積が大きく、臭気成分は付着吸着され易い。
【００１６】
滞留空間20の１次浄化ガスは先ず中子８に到達し、中子８に設けた段差面10、10a …に衝突して一部の臭気粒子が付着し、中子８で流入ガスは振り分けられると共に、中子８の表面に沿って変向流動して傾斜流と成り、流入口Ａにまっすぐ向かって流入する１次浄化ガスと合流して流入する。
流入口Ａから流入した傾斜状態の１次浄化ガスは、ブロック本体７の先端側7bの内壁面18（主に円周面19、19a 、19b 付近）に衝突する如く流入し、段差面９、9a…に臭気粒子の一部が付着し、１次浄化ガスは内側に変向して流動継続する。
中子８の後方の括れ部8cとブロック本体７の先端の円周面19、19a …との間では乱流が発生してこれらの各所に臭気粒子が付着し、更に、中子８の後端は切り立った状態で低圧域が発生し、ここでも乱流が発生し各所に臭気粒子が付着したり、混合され臭気粒子の分布状況が変化する。
ブロック本体７の内部流通空間7aにおける中間より後方では、内部流通空間7aの中心方向に沿った流れとなり易いが、内部流通空間7aには段階的に内周位置に段差があり、１次浄化ガス流が変向して臭気粒子は段差面…9m、9n…9y、9zに付着し、衝突した１次浄化ガス流は内方位置に変向すると共に、乱流を多少発生させる。
【００１７】
第１段第１群の脱臭ユニット15を通過して中間滞留空間21に流入した１次浄化ガスは、再度第１段第２群の脱臭ユニット15におけるブロック脱臭剤６に流入して同様な付着作用を繰り返すが、前段の第１群のブロック脱臭剤６を流出した１次浄化ガスの一部は後段の第２群の中子８に衝突して、同様な付着作用が繰り返される。
【００１８】
前段の脱臭部５で脱臭されて、後段の脱臭部5aに流入した２次浄化ガスは、脱臭部5aに充填された多数の塊状脱臭剤6aの間の隙間を通って、複雑多様な流路変更、衝突、接触により、含有された少量の残存する臭気成分が塊状脱臭剤6aに付着吸着される。
【００１９】
以下、脱臭作用の個別作用について説明する。
先ず、臭気粒子の付着作用としては、臭気粒子を含む１次浄化ガスが、各障害物（中子８の先端円錐部8a、段差面10、10a …、ブロック本体７の段差面９、9a…等）に衝突する時に変向し、１次浄化ガスに含まれる臭気粒子は空気に比して大きな質量を持っていて空気より慣性力が大きいため、１次浄化ガスは変向しても臭気粒子は慣性力でそのまま進行して障害物に衝突するケースが多い。
そして、障害物が特定素材で形成されているため、１次浄化ガス中の臭気粒子が壁面に付着したり、臭気が吸着され、１次浄化ガスの臭気成分がブロック脱臭剤６で除去される。
【００２０】
脱臭ボックス14に充填された多数のブロック脱臭剤６に１次浄化ガスが衝突、接触したり、２次浄化ガスが多数の団塊状、塊粒状の塊状脱臭剤6aの間を通過する過程において、脱臭剤Ｍは活性白土等が有する活性炭と類似した微細孔、および活性白土や石膏の大きな表面積で臭気を吸着し、吸着された臭気は徐々に内部の連続空隙に移動することにより、表面での吸着作用が保持される。
【００２１】
脱臭能が低下したブロック脱臭剤６、塊状脱臭剤6aは脱臭ボックス14から取り出し、水噴霧することにより、ブロック脱臭剤６、塊状脱臭剤6aは賦活、再生され、脱臭ボックス14に再充填し再使用可能である。
【００２２】
【発明の効果】
要するに本発明は、店舗等１から屋外へ排気するダクト２に消煙部及びファン３を取付けたので、店舗等１から発生する臭気ガスを消煙部により処理して屋外排気することが出来、又消煙部は油脂吸着部４および脱臭部５から成るので、吸引した臭気ガスから油脂分や臭気成分を除去できる。
脱臭部は、中空筒状のブロック本体７を貫通する臭気ガスの内部流通空間7aに中子８を配置して、臭気ガスを内部流通空間7aの内壁面18と中子８との間を通過させる様にした複数のブロック脱臭剤６を、各ブロック本体７の外周部を密接状態で、臭気ガスの流通方向に対し直角な縦横両方向に並列状に配置した脱臭ユニット15を有しているので、中子８で１次浄化ガス流を変向させて、臭気粒子を内部流通空間7aの内壁面18に衝突させて臭気粒子を効率的に付着させ、更に中子８の表面に臭気粒子が付着するため、１次浄化ガスの臭気粒子を除去することが出来る。
又、ブロック本体７および中子８はモンモリロナイト、酸性白土、活性白土又はゼオライトに石膏と水を添加して水和硬化させて成形したので、ブロック脱臭剤６表面の微細孔等で臭気を吸着すると共に、ブロック脱臭剤６内部の連続空隙による内部移動作用で表面の吸着作用を保持させて、ブロック脱臭剤６を長期間使用することが出来る。
更に、ブロック脱臭剤６（脱臭剤Ｍ）の主成分は安価な活性白土等でコストダウンを図ることが出来、且つ、ブロック脱臭剤６は賦活、再生させて、再充填し再使用することが出来、又油脂吸着部４に脱臭部５、5aを採用することにより、高価な電気集塵機を不要化してコストダウンを図ることが出来る。
【００２３】
ブロック本体７および中子８は、添加剤として活性アルミナ、炭酸カルシウム、酸化マグネシウムの１種以上を添加混入して水和硬化して成形したので、脱臭剤Ｍ（ブロック脱臭剤６、塊状脱臭剤6a）表面等の活性作用を増強して吸着作用を向上させることが出来る。
【００２４】
ダクト２に、該ダクト２より大径な脱臭ボックス14を設け、該脱臭ボックス14に脱臭ユニット15を配置したので、脱臭ボックス14内での１次浄化ガスの流通速度が遅くなりブロック脱臭剤６との接触時間が長くなって、ブロック脱臭剤６で効率良く１次浄化ガスに含まれる臭気成分の除去が出来る。
【００２５】
中子８における、臭気ガスの流通方向の上流側端部の先端円錐部8aをブロック本体７における臭気ガスの流通方向の上流側端面である先端側7bより突出させたので、先端円錐部8aで臭気成分の一部を除去することが出来、先端円錐部8aで誘導された１次浄化ガスは、ブロック本体７の先端側7bの内壁面18で衝突する如く内部流通空間7a内に流入することにより、先端側7bの内壁面18を有効に機能させることが出来、よって、内部流通空間7aの全長を有効に使うことが出来たり、ブロック脱臭剤６をコンパクトにすることが出来る。
【００２６】
内部流通空間7aを形成するブロック本体７の内壁面18は、半径が徐々に相違する多数の円周面19、19a …から成り、半径大の円周面19、19a …をブロック本体７における流入口Ａ側の先端側7bに設けると共に、半径小の円周面19、19a …をブロック本体７における流出口Ｂ側の後端側7cに形成したので、内部流通空間7aの内壁面18の同一位置に段差面９、9a…9y、9zがなく、１次浄化ガスは、その進行方向に対して、内部流通空間7aにおける外側部だけでなく中心部側の１次浄化ガスも段差面９、9a…に衝突させることが出来、ブロック本体７の内壁面18全体を効率的に機能させることが出来る。
又、内壁面18が円周平面状なので、円周面19、19a …に付着した臭気粒子の除去作業を手早く、且つ容易に行うことができる。
【００２７】
中子８の先端円錐部8aに上流側である先端側へ小径と成る段差面10、10a …を設けたので、段差面10、10a …で変向する１次浄化ガスに含まれる臭気粒子をその慣性力で段差面10、10a …に衝突させると共に、段差面10、10a …の各所に付着させることが出来る。
【００２８】
中子８の後方円筒部8bをブロック本体７内に配置し、後方円筒部8bに括れ部8cを設けたので、括れ部8cとブロック本体７の先端の内壁面18との間で乱流を発生させて、後端側7cでも臭気粒子を効率的に付着させることが出来、又後方円筒部8bの後端面が切り立って低圧域が発生し、１次浄化ガスの流動を全体的に乱流にして、付着効率を向上させることが出来る。
【００２９】
脱臭ユニット15を有する脱臭部５の下流に、脱臭ユニット15を構成するブロック脱臭剤６と同素材で、団塊状又は塊粒状に形成した塊状脱臭剤6aを、ダクト２に設けた脱臭ボックス14内に多数充填した脱臭部5aを設置したので、ブロック脱臭剤６で１次浄化ガスに含まれる臭気成分の大半を除去すると共に、脱臭部５を通過した２次浄化ガスに含まれる少量の残存する臭気成分を下流側の塊状脱臭剤6aで確実に除去して大気に浄化済みガスとして放出することが出来る等その実用的効果甚だ大である。
【図面の簡単な説明】
【図１】  本発明に係る厨房又は食品加工場の排気システムの概略平面図である。
【図２】  脱臭ボックスを一部省略した前後段の脱臭部の斜視図である。
【図３】  第１段の一対の脱臭ユニットの斜視図である。
【図４】  ブロック脱臭剤のＡーＡ断面図である。
【図５】  ブロック脱臭剤の正面図である。
【図６】  （ａ）は、塊状脱臭剤の側面図であり、（ｂ）は塊状脱臭剤の斜視図である。
【符号の説明】
１          店舗等
２          ダクト
３          ファン
４          油脂吸着部
５、5a      脱臭部
６          ブロック脱臭剤
6a          塊状脱臭剤
７          ブロック本体
7a          内部流通空間
7b          先端側
7c          後端側
８          中子
8a          先端円錐部
8b          後方円筒部
8c          括れ部
９、9a…    段差面
…9m、9n…  段差面
…9y、9z    段差面
10、10a …  段差面
14          脱臭ボックス
15          脱臭ユニット
18          内壁面
19、19a …  円周面
Ａ          流入口
Ｂ          流出口
Ｍ          脱臭剤
【図１】
0004053794.tif 000002
【図２】
0004053794.tif 000003
【図３】
0004053794.tif 000004
【図４】
0004053794.tif 000005
【図５】
0004053794.tif 000006
【図６】
0004053794.tif 000007